(57)【要約】【課題】コンパクトに折り畳むことができ、またブランクの原反からの紙取りが効率的であり、さらには商品を入れたまま積み重ねることができる丈夫なキャリーカートンを提供すること。【解決手段】身部と蓋部がヒンジ部を介して開閉可能に連設されたシックスコーナー貼り形式の折畳み箱からなるカートン本体Ａと、両端にそれぞれ差込み板が設けられた把手部材Ｂとからなり、カートン本体Ａの蓋部における左右の罫線上にそれぞれ設けられたスリットＳと、それらのスリットＳにそれぞれ合致するように身部のダストフラップ上に形成されたスリットに把手部材Ｂの差込み板が差し込まれることで、カートン本体Ａと把手部材Ｂの両者が一体とされる。カートン本体Ａはコンパクトに折り畳んだ状態で供給することができ、ブランクの原反からの紙取りが効率的となる。【選択図】図５
2009096513.tif 000002
【特許請求の範囲】
【請求項１】
身部と蓋部がヒンジ部を介して開閉可能に連設されたシックスコーナー貼り形式の折畳み箱からなるカートン本体と、両端にそれぞれ差込み板が設けられた把手部材とからなり、カートン本体の蓋部における左右の罫線上にそれぞれ設けられたスリットと、それらのスリットにそれぞれ合致するように身部のダストフラップ上に形成されたスリットに把手部材の差込み板が差し込まれることにより、カートン本体と把手部材の両者が一体とされることを特徴とするキャリーカートン。
【請求項２】
把手部材の中央に破断用のミシン目線が設けられていることを特徴とする請求項１に記載のキャリーカートン。
【発明の詳細な説明】
【技術分野】
【０００１】
本発明は、紙器用の板紙からなるカートンの技術分野に属し、詳しくは、ドーナッツやケーキなどを収納して持ち運べるようにしたトレータイプのキャリーカートンに関するものである。
【背景技術】
【０００２】
従来より、ドーナッツやケーキなどの持ち帰り用として、シックスコーナー貼り形式の折畳み箱からなる大型のトレーカートンが一般に使用されている。そして、店頭でこのような箱を使用する場合、商品を入れた箱をさらに手提げ袋（レジ袋）に入れてお客に手渡している。その際、中に入れた商品が転倒してデコレーションなどが壊れないよう箱を水平のままレジ袋に入れているのが通常である。
【０００３】
しかし、最近は、包装廃棄物の排出を抑制する動きや資源保護の観点から、このレジ袋についても削減する動きが強まってきており、そのためレジ袋不要のトレーカートンが望まれている。そこで、手提げ用の把手を一体に設けた構造とし、水平のまま持ち運ぶことができるようにしたキャリーカートンが使用されている。
【０００４】
【特許文献１】特開２００１−３４８０２３号公報
【特許文献２】特開平８−１３３２６５号公報
【発明の開示】
【発明が解決しようとする課題】
【０００５】
上記した従来のキャリーカートンは、ウェブコーナーを糊貼りとするトレー形式であるため、そのカートンを組み立てるブランクが原反からの紙取りに際して効率の悪い形状となる欠点がある。さらに、ウェブコーナーによる貼りは、底板に連設されている四方の側板のうち相対する２枚の側板が底板に重合するように貼り合わされる関係から、どうしても対向する底板と側面の罫線を越えて畳まれることはできない。したがって、特許文献１のように、一方のみの側板と天面が底板に重合するように貼るか、また特許文献２のように、対応する両側面が底板に重合されても対向する底板と罫線を越えない範囲のブランク形状に限定され、コンパクトに折り畳むことができないという問題点がある。また、ウェッブコーナーによるキャリーカートンは側板が１枚であり、上からの強度が弱く、商品を入れたまま積み重ねることができないといった問題点もある。
【０００６】
本発明は、従来のキャリーカートンが有するこのような問題点に鑑みてなされたものであり、その目的とするところは、コンパクトに折り畳むことができ、またブランクの原反からの紙取りが効率的であり、さらには商品を入れたまま積み重ねることができる丈夫なキャリーカートンを提供することにある。
【課題を解決するための手段】
【０００７】
上記の目的を達成するため、本発明のキャリーカートンは、身部と蓋部がヒンジ部を介して開閉可能に連設されたシックスコーナー貼り形式の折畳み箱からなるカートン本体と、両端にそれぞれ差込み板が設けられた把手部材とからなり、カートン本体の蓋部における左右の罫線上にそれぞれ設けられたスリットと、それらのスリットにそれぞれ合致するように身部のダストフラップ上に形成されたスリットに把手部材の差込み板が差し込まれることにより、カートン本体と把手部材の両者が一体とされることを特徴としている。
【０００８】
そして、上記構成のキャリーカートンにおいて、把手部材の中央に破断用のミシン目線が設けられているように構成してもよい。
【発明の効果】
【０００９】
本発明のキャリーカートンは、カートン本体と把手部材の２部材で構成され、そのカートン本体がシックスコーナー貼り形式の折畳み箱であるので、コンパクトに折り畳むことができ、物流・保管性に優れた効果を発揮する。また、把手をブランクに一体に設けた従来のキャリーカートンに比べて、ブランクの原反からの紙取りが効率的になるので、無駄なコストアップを生じない。また、組立てに際しても、カートン本体におけるスリットに把手部材の差込み板を差し込むだけでよいので、把手部材をカートン本体に簡単に取り付けることができる。また、商品を入れて蓋をした際、身部と蓋部のそれぞれの側板が重なるため、上方からの強度にも強くなり、商品を入れたまま積み重ねることができる。
【発明を実施するための最良の形態】
【００１０】
次に、本発明の実施の形態について図面を参照しながら詳細に説明する。
【００１１】
図１は本発明に係るキャリーカートンの一例を示す斜視図、図２は図１に示すキャリーカートンのカートン本体Ａを組み立てるブランクの展開図、図３は図１に示すキャリーカートンの把手部材Ｂを示す展開図である。
【００１２】
図２のブランクは、紙器用の板紙を打ち抜いて形成されたもので、図示のように、矩形状をした底板１の左右にそれぞれ折線を介して側板２が連設され、前後に折線を介して前板３と後板４が連設されている。そして、左右の側板２にはそれぞれ折線を介してダストフラップ５が連設され、前板３と後板４にはその左右に折線を介して一対の接着フラップ６，７が連設されており、後板４の上辺には折線を介して底板１とほぼ同じか僅かに大きいサイズの天板８が連設されている。さらに、天板８はその左右にそれぞれ折線を介して側板９が連設され、後板４と反対側に折線を介して覆い板１０が連設されており、覆い板１０の左右には折線を介して一対の接着フラップ１１が連設されている。
【００１３】
このブランクにおいて、底板１とそれを中心とする側板２、前板３、後板４、ダストフラップ５及び接着フラップ６，７がキャリーカートンの身部を構成し、天板８とそれを中心とする側板９、覆い蓋１０及び接着フラップ１１がキャリーカートンの蓋部を構成する。そして、後板４の上辺が身部と蓋部を折曲げ可能に接続するヒンジ部となる。
【００１４】
底板１の左右にある側板２には、その前後に三角形状をした一対の折曲げ部２ａ，２ｂがダストフラップ５に渡って区画されており、天板８の左右にある側板９には、後板４と反対側に三角形状をした一対の折曲げ部９ａが区画されている。なお、これらの折曲げ部２ａ，２ｂ，９ａを区画する折線は、押罫と切込線が交互に連続したリード罫で形成され、通常の折線を形成する押罫より折り曲げやすくなっている。
【００１５】
また、底板１の左右にある側板２とダストフラップ５の境界は、折曲げ部２ａ，２ｂにかからない中程の位置において押罫の代わりに円弧状の切込線ａが形成されることで、図示の如く側板２の中央が外側に僅かに膨らんだ形状になっている。これにより、ダストフラップ５を側板２に対して直角に折り曲げたときに、側板２はダストフラップ５より円弧状に起立するとともに、ダストフラップ５には円弧状のスリットが形成される。
【００１６】
一方、天板８とその左右にある側板９との境界には、その中程のところにおいて、押罫の代わりに、中央に小さな円形孔のある細長い開口ｂとその両端の短い切込線ｃとからなるスリットＳが形成されている。このスリットＳの長さは、側板２とダストフラップ５の間に設けた円弧状の切込線ａの直線距離とほぼ同じである。
【００１７】
また、覆い板１０には係止片１０ａが形成されており、この係止片１０ａに対応して前板３にはＴ字状の切込線ｄが形成されている。なお、この係止片１０ａには、根元から簡単に切れるように破断線ｅが設けられている。
【００１８】
図３の把手部材Ｂは、図２のブランクと同じ板紙を打ち抜いて形成されたもので、図示のように、中央のミシン目線ｆの両側にそれぞれ折線を介して把持板１２、連結板１３及び差込み板１４が対称に連設され、差込み板１４の両サイドにそれぞれ折線を介して爪板１５が連設された形状をしており、把持板１２には指を入れるための把持孔１２ａが形成されている。なお、把持板１２と連結板１３の境界はリード罫で形成され、その他の折線は押罫で形成されている。
【００１９】
図２のブランクは、従来のシックスコーナー貼り形式の折畳み箱と同様、各折曲げ部９ａの内側面とこれに隣接する接着フラップ１１の外側面を接着してカートンの蓋部を折り畳み、次いで、各折曲げ部２ａ，２ｂの内側面とこれに隣接する接着フラップ６，７の外側面を接着してカートンの身部を折り畳む。これにより、折り畳んだ身部の上に折り畳んだ蓋部が重なった状態となる。このように図２のブランクはコンパクトに折り畳んだ状態とされ、例えばミシン目線ｆで半分に折り畳んだ把手部材Ｂとともに供給される。
【００２０】
店頭において使用するときは、先ずカートン本体を組み立てる。すなわち、身部に対して蓋部を立ててから、図４に示すように身部と蓋部をそれぞれ起函し、身部の中に商品を入れた後、後板４の上辺の折線をヒンジ部として蓋部を身部に重ねるように回動させて蓋をする。このとき、側板２の外側に側板９が重なるように蓋部を身部に被せ、各側板２の上辺に突き出た円弧状部分がそれぞれ天板８と側板９の境界にあるスリットＳに入るようにする。
【００２１】
カートン本体Ａを組み立てた後、図５に示すように、把手部材Ｂを中央のミシン目線ｆで折り曲げた状態としてカートン本体Ａに取り付ける。このとき、把手部材Ｂの爪板１５を差込み板１４に対して内側に折り返した状態とし、差込み板１４を側板２における突き出た円弧状部分の内面側から、蓋部における左右の罫線上に位置するスリットＳと、各スリットＳに合致するように身部のダストフラップ５上に形成された円弧状のスリットに差し込んで取り付ける。把手部材Ｂの差込み板１４を２つの重なったスリットに差し込む際に、各側板２において円弧状に起立した部分がガイドの役目を果たすので、簡単に取り付けることができる。そして、取り付けた把手部材Ｂは、差込み板１４の両サイドにある爪板１５が紙の反発力で戻ることから、スリットから簡単には抜けない状態となるため、別のレジ袋等に入れなくても水平のまま安心して持ち運ぶことができる。
【００２２】
キャリーカートンから中の商品を取り出すときは、把手部材Ｂをその中央のミシン目線ｆのところで破断し、カートン本体Ａの蓋部を開けるようにすればよい。すなわち、把手部材Ｂは簡単には抜けないようにしてあるので、開封時に破断することになる。
【００２３】
カートン本体Ａに把手部材Ｂを取り付けたキャリーカートンは、把手部材Ｂの把持板１２における把持孔１２ａに指先を入れ、把持板１２を掴んで持ち運ぶことができる。そして、身部と蓋部のそれぞれの側壁２，９が重なっているので、上方からの強度にも強くなっており、商品を入れたまま積み重ねることもできる。
【００２４】
以上、本発明の実施の形態について詳細に説明してきたが、本発明によるキャリーカートンは、上記実施の形態に何ら限定されるものではなく、本発明の趣旨を逸脱しない範囲において種々の変更が可能であることは当然のことである。
【００２５】
例えば、上記の例では、開封時に把手部材を破断するために中央にミシン目線を設けたが、ミシン目線の代わりにジッパーを設けるようにしてもよい。また、要は開封時に手で簡単に把手部材を破断できればよいので、他の折線のところやその他の部位を破断可能としてもよい。
【図面の簡単な説明】
【００２６】
【図１】本発明に係るキャリーカートンの一例を示す斜視図である。
【図２】キャリーカートンのカートン本体を組み立てるブランクの展開図である。
【図３】キャリーカートンの把手部材を示す展開図である。
【図４】キャリーカートンのカートン本体を組み立てる様子を示す説明図である。
【図５】カートン本体に把手部材を取り付ける様子を示す説明図である。
【符号の説明】
【００２７】
Ａ  カートン本体
Ｂ  把手部材
Ｓ  スリット
１  底板
２  側板
２ａ，２ｂ  折曲げ部
３  前板
４  後板
５  ダストフラップ
６，７  接着フラップ
８  天板
９  側板
９ａ  折曲げ部
１０  覆い板
１０ａ  係止片
１１  接着フラップ
１２  把持板
１２ａ  把持孔
１３  連結板
１４  差込み板
１５  爪板
ａ，ｃ，ｄ  切込線
ｂ  開口
ｅ  破断線
ｆ  ミシン目線
【図１】
2009096513.tif 000003
【図２】
2009096513.tif 000004
【図３】
2009096513.tif 000005
【図４】
2009096513.tif 000006
【図５】
2009096513.tif 000007